(57)【要約】【課題】配管設計図における設計上の配管長さと、実際に現場を測量して得られる配管すべき区間の長さとの間に過不足が生じたときに、配管設計図に対して適切なデータ処理を施す。【解決手段】複数の直線配管部図と複数の異形管図２とを図形上つなぎ合わせることにより構成される管路図において、一方の異形管図２と他方の異形管図２との直線配管区間に直線配管部図１ａを作成する際に、この直線配管区間の長さＬ１と直線配管部図の長さとの間に生じる過不足α´の値に応じて前記管路図にデータ処理を施すことが可能なデータ処理手段を有し、このデータ処理手段により前記管路図にデータ処理を施すことで、直線配管区間に直線配管部図を過不足なく作成するものである。【選択図】      図１
2004199527.tif 000002
【特許請求の範囲】
【請求項１】
管路における直線配管部を図形データによって表した複数の直線配管部図と、管路における異形管を図形データによって表した複数の異形管図とを図形上つなぎ合わせることにより構成される管路図において、一方の異形管図と他方の異形管図との間である直線配管区間に直線配管部図を作成する際に、前記直線配管区間の長さと前記直線配管部図の長さとの間に生じる過不足の値に応じて前記管路図にデータ処理を施すことが可能なデータ処理手段を有し、前記データ処理手段により前記管路図にデータ処理を施すことで、前記直線配管区間に前記直線配管部図を過不足なく作成することを特徴とする管路図作成システム。
【請求項２】
データ処理手段により一方の異形管図と他方の異形管図のうちの少なくともどちらか一方の異形管図を移動させて直線配管区間の長さを調整することで、前記直線配管区間の長さと直線配管部図の長さとを一致させて前記直線配管区間に前記直線配管部図を過不足なく作成することを特徴とする請求項１記載の管路図作成システム。
【請求項３】
データ処理手段により直線配管部図の長さを伸縮させてその長さを調整することで、直線配管区間の長さと前記直線配管部図の長さとを一致させて前記直線配管区間に前記直線配管部図を過不足なく作成することを特徴とする請求項１または２記載の管路図作成システム。
【請求項４】
直線配管区間の長さと直線配管部図の長さとの間に過不足が生じたときに、データ処理手段により前記過不足の値が許容範囲であるかを判断し、前記過不足の値が許容範囲であると判断されれば、前記直線配管区間の長さと前記直線配管部図の長さとの調整を行うことなく前記直線配管区間に前記直線配管部図を作成することを特徴とする請求項１から３のいずれか１項記載の管路図作成システム。
【請求項５】
直線配管区間の長さと直線配管部図の長さとの調整を行わないときに、前記直線配管部図と前記直線配管部図の両側に存在する異形管図とを互いに接続するか否かを選択することを特徴とする請求項４記載の管路図作成システム。
【発明の詳細な説明】
【０００１】
【発明の属する技術分野】
本発明は、管路図作成システムに関する。
【０００２】
【従来の技術】
一般に、管路の布設の際に用いられる配管設計図は、図３に示すように、管路における直線配管部を図形データによって表した複数の直線配管部図１ａ、１ｂ、１ｃ、…と、管路における異形管を図形データによって表した、例えば分岐管図２ａや弁栓図２ｂや曲管図２ｃなどのように表した複数の異形管図２とを図形上つなぎ合わせることにより構成されている。なお、この配管設計図における直線配管部図１ａ、１ｂ、１ｃ、…は、一定長さの直管を図形データによって表した、すなわち配管長さがａで表される複数の直管図３をつなげ合わせただけで構成されているが、これに限らず、直管図３と配管長さがａ未満の直管図すなわち切り管図とを用いて構成することもできる。
【０００３】
このような配管設計図をもとに、実際の配管施工現場において管路が布設されるのであるが、配管設計の段階において、作成された配管設計図における設計上の配管長さ（以下、設計長さと記す）と、実際に現場を測量して得られる配管すべき区間の長さ（以下、実測長さと記す）との間には誤差が生じることがある。このような場合、配管設計者は、設計長さと実測長さとが合うように既に作成した配管設計図に対して適宜のデータ処理を施している。
【０００４】
そこで、例えば、実際の分岐管と弁栓との間の実測長さが、配管設計図における分岐管図２ａと弁栓図２ｂとの間の設計長さすなわち直線配管区間の長さＬ１よりもα（α＜ａ）だけ短い場合に、この配管設計図にデータ処理を施す手順を説明する。
【０００５】
まず最初に、図４（ａ）に示すように、この直線配管区間において、既に作成されたすなわち誤差を含んでいる直線配管部図における最も弁栓図２ｂ側に存在する直管図３を削除する。次にこの削除した箇所に所定の配管長さの切り管図を作成して直線配管部図の長さを調整するが、このとき、配管長さがａ−αとなるような切り管図を作成することができれば総配管長さがＬ１−αの直線配管部図を作成することができる。しかし、実際には、現場で施工しやすい配管長さ、例えば配管長さがβ（β＜ａ−α）で表される切り管図４ａが作成されることがある。したがって、この場合、実測長さと修正後の設計長さとの間には隙間γ（γ＝ａ−α−β）が生じる。
【０００６】
次に、この隙間γと不足長さαとの和をこの場合の過不足値α´としてこの値が許容範囲であるか否か、すなわち配管設計図において図形上の修正が必要な程度であるか否かを判断し、過不足値α´が許容範囲でない場合には、図４（ｂ）に示すように、弁栓図２ｂ及び直線配管部図１ｂをこの過不足値α´を詰める方向、すなわち図示のように見て左方向に距離α´だけ移動させる。
【０００７】
そして、直線配管部図１ａにおける直管図３と切り管図４ａ、及び切り管図４ａと弁栓図２ｂとを接続（図示は省略）して、配管設計図における直線配管部図１ａの修正作業を終了する。なお、過不足値α´が十分に小さく許容範囲である場合には、配管設計図において図形上の修正をしない。また、上記の場合では、β＜ａ−αの場合を示しているが、β＞ａ−αの場合であってもよく、この場合、過不足値はα´＝ａ−βとなる。
【０００８】
次に、直線配管部図１ｂと曲管図２ｃとの間に発生した間隔α´を詰める。このとき、直線配管部図１ａを修正したときには上述のように弁栓図２ｂ及び直線配管部図１ｂを距離α´だけ移動させていたが、直線配管部図１ｂと曲管図２ｃとの間に発生した間隔α´を詰める場合、直線配管部図１ｂと直線配管部図１ｃの配管方向が異なるなどの事情により、曲管図２ｃ及び直線配管部１ｃをこの間隔α´を詰める方向、すなわち図示のように見て左方向に移動させることができない場合があった。
【０００９】
このような場合には、直線配管部図１ｂと曲管図２ｃとの間の間隔α´の部分に、図４（ｃ）に示すように、配管長さがα´の切り管図４ｂを作成することで、直線配管部図１ｂの修正を行っている。
【００１０】
なお、上記の先行技術は文献公知発明に係るものではないため、先行技術文献情報を記載することができない。
【００１１】
【発明が解決しようとする課題】
上記のように、設計長さと実測長さとの間に過不足が生じた場合には、配管設計者自らが上述したような適宜のデータ処理を配管設計図に施して対処しているが、このような作業には非常に手間がかかってしまう。
【００１２】
そこで本発明は、このような問題点を解決して、配管設計図における設計上の配管長さと、実際に現場を測量して得られる配管すべき区間の長さとの間に過不足が生じたときに、配管設計図に対して適切なデータ処理を施すことを目的とする。
【００１３】
【課題を解決するための手段】
上記課題を解決するために請求項１記載の発明は、管路における直線配管部を図形データによって表した複数の直線配管部図と、管路における異形管を図形データによって表した複数の異形管図とを図形上つなぎ合わせることにより構成される管路図において、一方の異形管図と他方の異形管図との間である直線配管区間に直線配管部図を作成する際に、前記直線配管区間の長さと前記直線配管部図の長さとの間に生じる過不足の値に応じて前記管路図にデータ処理を施すことが可能なデータ処理手段を有し、前記データ処理手段により前記管路図にデータ処理を施すことで、前記直線配管区間に前記直線配管部図を過不足なく作成するものである。
【００１４】
このような構成によれば、直線配管区間の長さと直線配管部図の長さとの間に生じる過不足の値に応じて管路図にデータ処理を施すことが可能なデータ処理手段を有し、前記データ処理手段により前記管路図にデータ処理を施すことで、前記直線配管区間に前記直線配管部図を過不足なく作成することができる。したがって、例えば従来のように、配管設計者自らが生じた過不足に応じて管路図にデータ処理を施す場合に比べて、配管設計者の作業負担を大幅に減少させることができ、かつ短時間で容易に直線配管区間に直線配管部図を作成することができる。
【００１５】
請求項２記載の発明は、請求項１記載の管路図作成システムにおいて、データ処理手段により一方の異形管図と他方の異形管図のうちの少なくともどちらか一方の異形管図を移動させて直線配管区間の長さを調整することで、前記直線配管区間の長さと直線配管部図の長さとを一致させて前記直線配管区間に前記直線配管部図を過不足なく作成するものである。
【００１６】
このような構成によれば、データ処理手段により一方の異形管図と他方の異形管図のうちの少なくともどちらか一方の異形管図を移動させることで直線配管区間の長さを調整することができる。これにより、前記直線配管区間の長さと直線配管部図の長さとを一致させ、前記直線配管区間に前記直線配管部図を過不足なく作成することができる。したがって、例えば従来のように、配管設計者自らが生じた過不足に応じて管路図にデータ処理を施す場合に比べて、配管設計者の作業負担を大幅に減少させることができ、かつ短時間で容易に直線配管区間に直線配管部図を作成することができる。
【００１７】
請求項３記載の発明は、請求項１または２記載の管路図作成システムにおいて、データ処理手段により直線配管部図の長さを伸縮させてその長さを調整することで、直線配管区間の長さと前記直線配管部図の長さとを一致させて前記直線配管区間に前記直線配管部図を過不足なく作成するものである。
【００１８】
このような構成によれば、データ処理手段により直線配管部図の長さを伸縮させることで前記直線配管部図の長さを調整することができる。これにより、直線配管区間の長さと前記直線配管部図の長さとを一致させ、前記直線配管区間に前記直線配管部図を過不足なく作成することができる。したがって、例えば従来のように、配管設計者自らが生じた過不足に応じて管路図にデータ処理を施す場合に比べて、配管設計者の作業負担を大幅に減少させることができ、かつ短時間で容易に直線配管区間に直線配管部図を作成することができる。
【００１９】
請求項４記載の発明は、請求項１から３のいずれか１項記載の管路図作成システムにおいて、直線配管区間の長さと直線配管部図の長さとの間に過不足が生じたときに、データ処理手段により前記過不足の値が許容範囲であるかを判断し、前記過不足の値が許容範囲であると判断されれば、前記直線配管区間の長さと前記直線配管部図の長さとの調整を行うことなく前記直線配管区間に前記直線配管部図を作成するものである。
【００２０】
このような構成によれば、直線配管区間の長さと直線配管部図の長さとの間に過不足が生じたときに、データ処理手段により前記過不足の値が許容範囲であるかを判断し、前記過不足の値が許容範囲であると判断されれば、前記直線配管区間の長さと前記直線配管部図の長さとの調整を行うことなく前記直線配管区間に前記直線配管部図を作成することができる。これにより、余計な手間をかけることなく前記直線配管区間に直線配管部図を迅速に作成することができる。
【００２１】
請求項５記載の発明は、請求項４記載の管路図作成システムにおいて、直線配管区間の長さと直線配管部図の長さとの調整を行わないときに、前記直線配管部図と前記直線配管部図の両側に存在する異形管図とを互いに接続するか否かを選択するものである。
【００２２】
このような構成によれば、直線配管区間の長さと直線配管部図の長さとの調整を行わないときに、前記直線配管部図と前記直線配管部図の両側に存在する異形管図とを互いに接続するか否かを選択することができる。これにより、接続すると選択された場合には、前記直線配管部図と前記異形管図とを互いに接続することで詳細な管路図を作成することができる。また、接続しないと選択された場合には、前記直線配管部図と前記異形管図とを互いに接続せず余計な手間をかけないで直線配管区間に直線配管部図を迅速に作成することができる。
【００２３】
【発明の実施の形態】
本発明の管路図作成システムを用いて、管路図としての配管設計図において一方の異形管図２と他方の異形管図２との間である直線配管区間に直線配管部図を作成する際に、例えば、作成しようとする直線配管部図の長さすなわち実測長さが、直線配管区間の長さすなわち設計長さよりもα（α＜ａ）だけ短い場合に、データ処理手段（図示は省略）により設計長さと実測長さとが合うように配管設計図に適切なデータ処理を施す方法を図１及び図２を参照しながら説明する。なお、実施の形態において、従来の配管設計図の作成方法において既に説明したものと同様のものには、図３及び図４において使用した符号と同一の符号を付すことで、その詳細な説明を省略する。また、本発明の管路図作成システムには、図示は省略するが、配管設計者に対して作業状況等を表示するためのディスプレイと、管路図作成システムに対して情報を入力するためのキーボード及びマウスと、ディスプレイの表示内容を出力するためのプリンタとが連携している。したがって、配管設計者は、キーボード及びマウスにより管路図作成システムに対して情報を入力することができ、ディスプレイにより作業状況等を確認することができ、プリンタによりディスプレイに表示された内容を出力することができる。
【００２４】
まず最初に、図１に示すように、ステップ１（Ｓ００１）として、この配管設計図におけるデータ処理の対象となる直線配管区間に実測長さに基づくように直線配管部図を作成する。すなわち図４（ａ）に示した場合のように、一方の異形管図２と他方の異形管図２との間の、既に作成されている直線配管部図における最も他方の異形管図２側に存在する直管図３を削除し、この削除した箇所に例えば配管長さがβ（β＜ａ−α）で表される切り管図４ａを作成する。
【００２５】
そして、実測長さと設計長さとの間に生じた隙間γ（γ＝ａ−α−β）と不足長さαとの和をこの場合の過不足値α´とし、次に、ステップ２（Ｓ００２）として、発生した過不足値α´が許容範囲であるか否か、すなわち配管設計図において図形上の修正が必要な程度であるか否かを判断する。その結果、過不足値α´が許容範囲でない場合は、ステップ３（Ｓ００３）に移る。ステップ３においては、配管設計図に施すデータ処理の方法として異形管図２を移動することにより過不足値α´の調整をするかどうかを判断する。
【００２６】
このとき、例えば、図４（ｂ）に示した場合のように一方の異形管図２が分岐管図２ａでかつ他方の異形管図２が弁栓図２ｂである場合で、弁栓図２ｂ及び直線配管部図１ｂを移動させることにより過不足値α´を調整することができる場合には、ステップ４（Ｓ００４）に移り過不足値α´の調整をする。詳細には、図４（ｂ）に示した場合と同様に、弁栓図２ｂ及び直線配管部図１ｂをこの過不足値α´を詰める方向、つまり図示のように見て左方向に距離α´だけ移動させる。これにより、配管設計図における直線配管区間の長さ（設計長さ）と直線配管部図（実測長さ）とを一致させる。
【００２７】
ステップ４（Ｓ００４）においてデータ処理が終了すると、ステップ５（Ｓ００５）に移り、直線配管部図１ａにおける直管図３と切り管図４ａ、及び切り管図４ａと弁栓図２ｂとを接続（図示は省略）して、配管設計図における直線配管部図１ａの修正作業を終了する。なお、上記の場合では、β＜ａ−αの場合を示しているが、β＞ａ−αの場合であってもよく、この場合、過不足値はα´＝ａ−βとなる。
【００２８】
このように、データ処理手段（図示は省略）により弁栓図２ｂ及び直線配管部図１ｂを移動させることで直線配管区間の長さすなわち設計長さを任意に調整することができる。これにより、設計長さを実測長さに一致させることができる。したがって、例えば従来のように、配管設計者自らが生じた過不足の調整を行う場合に比べて、配管設計者の作業負担を大幅に減少させることができ、かつ短時間で容易に直線配管区間に直線配管部図を作成することができる。
【００２９】
また、ステップ３（Ｓ００３）において、配管設計図に施すデータ処理の方法として異形管図２を移動させることにより過不足値α´を調整するかどうかを判断し、異形管図２を移動させない場合、例えば、一方の異形管図２が弁栓図２ｂでかつ他方の異形管図２が曲管図２ｃである場合で、曲管図２ｃ及び直線配管部図１ｃを過不足値α´を詰める方向に移動させることができないような場合には、ステップ６（Ｓ００６）に移る。
【００３０】
このステップ６（Ｓ００６）では、配管設計図に施すデータ処理の方法として直線配管部図を構成する直管図の配管長さを任意に伸縮させることにより過不足値α´の調整をする。
【００３１】
詳細には、図２（ａ）に示すように、直線配管部図１ｂと曲管図２ｃとの間に過不足値α´が存在するときに、図２（ｂ）に示すように、直線配管部図１ｂの最も曲管図２ｃ側の直管図３の配管長さａを長さα´だけ延長した図である配管長さがａ＋α´の延長管図５を作成する。その後、ステップ５（Ｓ００５）に移り、延長管図５と曲管図２ｃとを接続して作業を終了する。なお、ステップ１（Ｓ００１）において切り管図を用いないで直線配管部図を構成しておき、ステップ２（Ｓ００２）及びステップ３（Ｓ００３）を経てステップ６（Ｓ００６）に移り、直線配管部図を構成する直管図の配管長さを伸縮させてこの直線配管部図の長さを調整すれば、切り管図を用いないで直線配管部図を構成することができる。すなわち実際の配管施工時に切り管を使用しない旨を配管設計図上に図示することができる。
【００３２】
このように、データ処理手段により直線配管部図１ｂを構成する直管図３の長さを伸縮（上記の場合は延長）させることでこの直線配管部図１ｂの全体の長さを任意に調整することができる。これにより、直線配管区間の長さと直線配管部図の長さとを一致させ、この直線配管区間に直線配管部図を過不足なく作成することができる。したがって、例えば従来のように、配管設計者自らが生じた過不足の調整を行う場合に比べて、配管設計者の作業負担を大幅に減少させることができ、かつ短時間で容易に直線配管区間に直線配管部図を作成することができる。
【００３３】
また、ステップ２（Ｓ００２）において、発生した過不足値α´が許容範囲であると判断された場合には、配管設計図に対して過不足値α´に応じたデータ処理を特に行う必要がない、すなわちこの段階で直線配管区間の長さと直線配管部図の長さとが一致しているとみなし、過不足値α´が無いものとしてそのままステップ７（Ｓ００７）に移る。
【００３４】
ステップ７（Ｓ００７）においては、直線配管部図と異形管図とを接続するか否かを判断し、直線配管部図と異形管図とを接続する場合には、ステップ５（Ｓ００５）を経て作業を終了する。また、接続しない場合には、配管設計図にデータ処理を施すことなくそのまま作業を終了する。これにより、直線配管部図と異形管図とを接続する場合には、詳細な配管設計図を作成することができ、また、接続しない場合には、余計な手間をかけることなく容易かつ迅速に配管設計図を作成することができる。
【００３５】
なお、上記の実施の形態では、ステップ１（Ｓ００１）において直線配管部図を作成する際に切り管図を用いた場合を示したが、不足長さαの程度を勘案して、異形管図及びこれに接続される直線配管部図を適宜に移動させたり、直線配管部図を構成する直管図の長さを適宜に伸縮させたりすることで、上記の不足長さαを解消することができ、できるだけ切り管図を使用しない配管設計図を作成することができる。
【００３６】
【発明の効果】
以上のように本発明によると、直線配管区間の長さと直線配管部図の長さとの間に生じる過不足の値に応じて管路図にデータ処理を施すことが可能なデータ処理手段を有し、前記データ処理手段により前記管路図にデータ処理を施すことで、前記直線配管区間に前記直線配管部図を過不足なく作成することができる。したがって、例えば従来のように、配管設計者自らが生じた過不足に応じて管路図にデータ処理を施す場合に比べて、配管設計者の作業負担を大幅に減少させることができ、かつ短時間で容易に直線配管区間に直線配管部図を作成することができる。
【００３７】
また、データ処理手段により一方の異形管図と他方の異形管図のうちの少なくともどちらか一方の異形管図を移動させることで直線配管区間の長さを調整することができる。これにより、前記直線配管区間の長さと直線配管部図の長さとを一致させ、前記直線配管区間に前記直線配管部図を過不足なく作成することができる。したがって、例えば従来のように、配管設計者自らが生じた過不足に応じて管路図にデータ処理を施す場合に比べて、配管設計者の作業負担を大幅に減少させることができ、かつ短時間で容易に直線配管区間に直線配管部図を作成することができる。
【００３８】
また、データ処理手段により直線配管部図の長さを伸縮させることで前記直線配管部図の長さを調整することができる。これにより、直線配管区間の長さと前記直線配管部図の長さとを一致させ、前記直線配管区間に前記直線配管部図を過不足なく作成することができる。したがって、例えば従来のように、配管設計者自らが生じた過不足に応じて管路図にデータ処理を施す場合に比べて、配管設計者の作業負担を大幅に減少させることができ、かつ短時間で容易に直線配管区間に直線配管部図を作成することができる。
【００３９】
また、直線配管区間の長さと直線配管部図の長さとの間に過不足が生じたときに、データ処理手段により前記過不足の値が許容範囲であるかを判断し、前記過不足の値が許容範囲であると判断されれば、前記直線配管区間の長さと前記直線配管部図の長さとの調整を行うことなく前記直線配管区間に前記直線配管部図を作成することができる。これにより、余計な手間をかけることなく前記直線配管区間に直線配管部図を迅速に作成することができる。
【００４０】
さらに、直線配管区間の長さと直線配管部図の長さとの調整を行わないときに、前記直線配管部図と前記直線配管部図の両側に存在する異形管図とを互いに接続するか否かを選択することができる。これにより、接続すると選択された場合には、前記直線配管部図と前記異形管図とを互いに接続することで詳細な管路図を作成することができる。また、接続しないと選択された場合には、前記直線配管部図と前記異形管図とを互いに接続せず余計な手間をかけないで直線配管区間に直線配管部図を迅速に作成することができる。
【図面の簡単な説明】
【図１】本発明の管路図作成システムにより配管設計図を作成する手順を示す図である。
【図２】図１のステップ６におけるデータ処理を示す図である。
【図３】配管設計図の一例を示す図である。
【図４】従来の技術における配管設計図の作成方法を示す図である。
【符号の説明】
１ａ  直線配管部図
２    異形管図
Ｌ１    直線配管区間の長さ
α´  過不足
【図１】
2004199527.tif 000003
【図２】
2004199527.tif 000004
【図３】
2004199527.tif 000005
【図４】
2004199527.tif 000006